(57)【要約】【課題】Ｆ型接栓の取付の作業性を向上する。【解決手段】本体の前面壁に，該本体とは別体で形成されたパネルを備えた直列ユニットにおいて，前記パネルは，少なくとも直列ユニットを取付けるための下枠に装着されるプレート枠に対向配置した基板と，該基板に設けられ上記本体の前面壁に備えた同軸接栓座の頭部が貫通する大きさの透孔と，前記プレート枠に形成された窓孔に対向する位置であって，該窓枠を閉塞可能な大きさと形状であるように形成された側壁と，が設けられている。【選択図】  図１
2006129647.tif 000002
【特許請求の範囲】
【請求項１】
本体の前面壁に，該本体とは別体で形成されたパネルを備えた直列ユニットにおいて，
前記パネルは，少なくとも直列ユニットを取付けるための下枠に装着されるプレート枠に対向配置した基板と，該基板に設けられ上記本体の前面壁に備えた同軸接栓座の頭部が貫通する大きさの透孔と，該透孔の周辺を囲むように前記基板から前面方向に突設させ，その先端部の形状と大きさは前記プレート枠に形成された窓孔に対向する位置であって，該窓枠の周辺を閉塞可能な大きさと形状であるように形成された側壁と，が設けられていることを特徴とした直列ユニット。
【請求項２】
前記プレート枠の窓孔を該プレートの前面側から閉塞可能な大きさと形状であって，窓孔に対して着脱自在に形成された蓋体を備えたことを特徴とした請求項１に記載の直列ユニット。
【請求項３】
直列ユニットに具備されて，該直列ユニットとは別体に形成される直列ユニット用のパネルにおいて，
該パネルは，少なくとも直列ユニットを取付けるための下枠に装着されるプレート枠に対向配置した基板と，該基板に設けられ上記本体の前面壁に備えた同軸接栓座の頭部が貫通する大きさの透孔と，該透孔の周辺を囲むように前記基板から前面方向に突設させ，その先端部の形状と大きさは前記プレート枠に形成された窓孔に対向する位置であって，該窓枠の周辺を閉塞可能な大きさと形状であるように形成された側壁と，が設けられていることを特徴とした直列ユニット用のパネル。
【請求項４】
請求項３に記載のパネルにおいて，当該パネルに形成された側壁がなす開口端部の前面側から対応して閉塞可能な大きさと形状を有し，前記開口端部に着脱自在に形成した蓋体を備えたことを特徴とした直列ユニット用のパネル。
【発明の詳細な説明】
【技術分野】
【０００１】
本発明は，主にテレビ共同受信に利用される直列ユニットに関し，詳しくはその直列ユニットの構造に関する。
【背景技術】
【０００２】
従来の直列ユニットは，図５，６に示すようにユニット本体の前面壁にパネル１´が備えられており，当該パネル１´には，有底丸穴から成る凹部４，４が形成されて，該凹部４，４の底部中央より前面壁に備えられたＦ型端子５，５が突設されている。このパネル１´の大きさと形状は，フラッシュプレート（プレート枠）３に形成された窓孔に適応しており，前記直列ユニットを例えばスイッチボックス内に組込んで，パネル１´表面の周囲を前記フラッシュプレート３で閉塞することにより壁内に埋設され，これによってフラッシュプレート３からは，Ｆ型端子５，５を備えたパネル１´のみが顔を出すような構成となっていた。
（例えば，特許文献１参照）
【０００３】
【特許文献１】特開平８−１６８０１５号公報
【発明の開示】
【発明が解決しようとする課題】
【０００４】
しかし，従来の直列ユニットによると，フラッシュプレート３からは，Ｆ型端子５，５を備えたパネル１´のみが顔を出すような構成となっており，そのＦ型端子５，５にはプラグを嵌め込み挿着できるようになっており，例えば前記直列ユニットとテレビ等に介設して，予め同軸ケーブルの両端部に挿し込みプラグが組み付けられた同軸ケーブルを，テレビと直列ユニットに嵌め込み装着するだけで良いので，特殊な技術を要することも無く簡単に誰でも接続することができる。
一方，近年において衛星放送ばかりでなく地上波放送もディジタル化されるに伴い，前記同軸ケーブルや，例えば直列ユニットとプラグとの接続部分において，受信システムに用いられる機器類は妨害電波を受け難い高いシールド性を必要とされるようになってきて，例えば同軸ケーブルにおいては外皮導体を３重に備えさせたものや，分配器，ブースターのように金属製のシールドケースを具備させた製品が使われるようになってきた。
従って，前記接続部分においても摺動固着による挿し込み方式で無く，確実に接続でき，且つシールド性が優れてよい螺合式のＦ型接栓の使用が求められるようになった。
【０００５】
これに対応するように，ディジタル放送を受信するような共同受信機器に一般的に備えられているＦ型端子は，例えば直列ユニットのように亜鉛ダイキャストで成形されたユニット本体６と一体的に形成されていたり，ユニット本体とは別体で金属材料により形成されて，ユニット本体６に固着されていたりするようなものがあり，何れの場合であっても，前記Ｆ型端子５，５の周面には雄螺子が形成されており，内周面に雌螺子が形成されたＦ型接栓も螺合できるよう構成されている。
ところが従来の直列ユニットに備えたパネル１´には，Ｆ型端子５，５の周囲に有底丸穴から成る凹部４，４が形成されて，該凹部４，４の底部中央より前面壁に備えられた前記Ｆ型端子５，５が突設するように形成されており，前記凹部４，４の内径は前記プラグに筒状に形成されたＦ型端子収容部の外径よりやや大きい寸法と成るように，出来得る限り空間が小さくなるように形成されていると共に，前記Ｆ型端子５，５の先端部は，パネル１´の前面壁に対して少なくとも突出しないように前記凹部内に配置されていることから，Ｆ型接栓が完全に固着された状態でＦ型接栓の回転操作部分（所謂，Ｆ型端子収容部）の大部分が，図６（ｂ）に示すようにＬ寸法部分を残して前記パネル１´の凹部４，４に収納されてしまうので，Ｆ型接栓のＦ型端子収容部を回転操作して前記Ｆ型端子５，５に螺合するためには，例え工具を使ったとしても螺合し難い構造となっていた。
そこで本願においては，こうした問題点を解決するためになされたものであり，
その目的は，Ｆ型端子の接続作業の容易な直列ユニットを提供することにある
他の目的は，Ｆ型端子に対して信頼性の高い接続が可能な直列ユニットを提供することにある
他の目的は，Ｆ型端子の接続作業を容易とする形状をしたパネルを具備した直列ユニットを提供することにある
他の目的は，接続作業の容易な直列ユニットを備えた配線システムを提供することにある。
他の目的は，Ｆ型端子の接続作業の容易な直列ユニット用のパネルを提供することにある
他の目的は，Ｆ型端子に対して信頼性の高い接続が可能な直列ユニット用のパネルを提供することにある
他の目的は，Ｆ型端子の接続作業を容易とする形状をした直列ユニット用のパネルを提供することにある
【課題を解決するための手段】
【０００６】
上記課題を解決するために，請求項１の発明は，本体の前面壁に，該本体とは別体で形成されたパネルを備えた直列ユニットにおいて，
前記パネルは，少なくとも直列ユニットを取付けるための下枠に装着されるプレート枠に対向配置した基板と，該基板に設けられ上記本体の前面壁に備えた同軸接栓座の頭部が貫通する大きさの透孔と，該透孔の周辺を囲むように前記基板から前面方向に突設させ，その先端部の形状と大きさは前記プレート枠に形成された窓孔に対向する位置であって，該窓枠の周辺を閉塞可能な大きさと形状であるように形成された側壁と，が設けられている。
【０００７】
請求項２の発明は，請求項１に記載の直列ユニットにおいて，前記プレート枠の窓孔を該プレートの前面側から閉塞可能な大きさと形状であって，窓孔に対して着脱自在に形成された蓋体を備えた。
【０００８】
請求項３の発明は，直列ユニットに具備されて，該直列ユニットとは別体に形成される直列ユニット用のパネルにおいて，
該パネルは，少なくとも直列ユニットを取付けるための下枠に装着されるプレート枠に対向配置した基板と，該基板に設けられ上記本体の前面壁に備えた同軸接栓座の頭部が貫通する大きさの透孔と，該透孔の周辺を囲むように前記基板から前面方向に突設させ，その先端部の形状と大きさは前記プレート枠に形成された窓孔に対向する位置であって，該窓枠の周辺を閉塞可能な大きさと形状であるように形成された側壁と，が設けられるように構成される。
【０００９】
請求項４の発明は，請求項３に記載のパネルにおいて，当該パネルに形成された側壁がなす開口端部の前面側から対応して閉塞可能な大きさと形状を有し，前記開口端部に着脱自在に形成した蓋体を備えた。
【発明の効果】
【００１０】
請求項１の発明の発明によれば，本体の前面壁に，該本体とは別体で形成されたパネルを備えた直列ユニットにおいて，
前記パネルは，少なくとも直列ユニットを取付けるための下枠に装着されるプレート枠に対向配置した基板と，該基板に設けられ上記本体の前面壁に備えた同軸接栓座の頭部が貫通する大きさの透孔と，該透孔の周辺を囲むように前記基板から前面方向に突設させ，その先端部の形状と大きさは前記プレート枠に形成された窓孔に対向する位置であって，該窓枠の周辺を閉塞可能な大きさと形状であるように形成された側壁と，が設けられているので，
直列ユニットのＦ型端子の周辺には，従来からあるフラッシプレートの窓枠の範囲で広い空間が形成されることから，プラグを嵌め込み接続する場合はもちろん，Ｆ型接栓を螺合する場合であっても，パネルの表面やプレート等に邪魔されることなく，指先やラジオペンチ等の工具を用いても，Ｆ型接栓の接栓座収容部を回転操作でき，簡単且つ確実にコネクタを螺合させることができると共に，Ｆ型接栓とＦ型端子との接続部分の外部からの妨害電波に対するシールド性が，摺動固着による嵌め込み方式のプラグに比して極めて優れた接合ができる直列ユニットを提供できるのである。
【００１１】
請求項２の発明によれば，請求項１に記載の直列ユニットにおいて，前記プレート枠の窓孔を該プレートの前面側から閉塞可能な大きさと形状であって，窓孔に対して着脱自在に形成された蓋体を備えたので
例えば同軸ケーブルを設置しない状態になった場合であっても，化粧板として当該蓋体を取付けておけば，室内等に目立たずにスキッリと配設できる直列ユニットを提供できるのである。
【００１２】
請求項３の発明によれば，直列ユニットに具備されて，該直列ユニットとは別体に形成される直列ユニット用のパネルにおいて，
該パネルは，少なくとも直列ユニットを取付けるための下枠に装着されるプレート枠に対向配置した基板と，該基板に設けられ上記本体の前面壁に備えた同軸接栓座の頭部が貫通する大きさの透孔と，該透孔の周辺を囲むように前記基板から前面方向に突設させ，その先端部の形状と大きさは前記プレート枠に形成された窓孔に対向する位置であって，該窓枠の周辺を閉塞可能な大きさと形状であるように形成された側壁と，が設けられるように構成したので
直列ユニットのＦ型端子の周辺には，従来からあるフラッシプレートの窓枠の範囲で広い空間が形成されることから，プラグを嵌め込み接続する場合はもちろん，Ｆ型接栓を螺合する場合であっても，パネルの表面やプレート等に邪魔されることなく，指先やラジオペンチ等の工具を用いても，Ｆ型接栓の接栓座収容部を回転操作でき，簡単且つ確実にコネクタを螺合させることができると共に，Ｆ型接栓とＦ型端子との接続部分の外部からの妨害電波に対するシールド性が，摺動固着による嵌め込み方式のプラグに比して極めて優れた接合ができる直列ユニットに適したパネルを提供できるのである。
【００１３】
請求項４の発明によれば，請求項３に記載のパネルにおいて，当該パネルに形成された側壁がなす開口端部の前面側から対応して閉塞可能な大きさと形状を有し，前記開口端部に着脱自在に形成した蓋体を備えたので
例えば同軸ケーブルを設置しない状態になった場合であっても，化粧板として当該蓋体を取付けておけば，室内等に目立たずにスキッリと配設できる直列ユニットに適したパネルを提供できるのである。
【発明を実施するための最良の形態】
【００１４】
以下に，本発明を具体化した実施形態の例を，図面を基に詳細に説明する。
図１は本発明に係る直列ユニットの斜視図である。図２は本願の直列ユニットを壁面に設置したスイッチボックスに収納してプレート枠で閉塞した状態を示す図面である。図３は図２に示すＡ−Ａ線の一部破断した断面図である。図４は本願の直列ユニットの別の実施例である。図５は従来の直列ユニットの取付状態を示す図面であり，図６は図５におけるＢ−Ｂ線断面図である。
【実施例１】
【００１５】
本発明に係るテレビジョン共同受信用直列ユニット１０を，図面に基づいて説明する。１は取付枠２が側方より挿し込み装着され，例えばＡＣコンセント２個口用の大きな窓３ａを有するフラッシプレート３に適応するパネルであり，そのパネル１は合成樹脂材料を金型によって成型したものであり，該パネル１のＡＣコンセントが位置するべき部位の中央に，それぞれ貫通孔１ａ，１ｂが形成されている。
その貫通孔１ａ，１ｂには，それぞれＦ型端子５ａ，５ｂが突設されており，そのＦ型端子５ａ，５ｂはパネル１の裏面に固着された例えば亜鉛ダイキャストを金型で成形したユニット本体６内に収容されている図示されていない回路基板を介して，そのユニット本体６の後面方向に設けられたＦ型端子７と電気的に接続されている。尚，本願の実施例では前記取付枠２とユニット本体６とは，図に示す係止部２ａ，２ｃにおいて着脱自在に係合固着されている。
【００１６】
次に前記パネル１の実施例について更に詳しく説明する。このパネル１はユニット本体６の前面壁と対向するように所定の大きさと形状に形成された基板１１と，前記ユニット本体６の前面壁に備えられたＦ型端子５ａ，５ｂを突設させるための透孔１ａ，１ｂと，該透孔１ａ，１ｂの周辺を囲むように前記基板から前面方向に突設させ，その先端部の形状と大きさは前記プレート枠３に形成された窓孔３ａに対向する位置であって，該窓枠３ａの周辺を前記パネル１の表面とで閉塞可能な大きさと形状であるように形成された側壁１２と，から成る。
この側壁１２の大きさと形状は，該側壁１２がなす開口端の内周の形状が，前記ファラッシュプレート３の窓枠３ａに対応し，前記側壁１２の上端面の全周が，前記窓枠３ａの周縁の内側部分に当接するように形成されており，パネル１前面に収容空間９が形成される。
【００１７】
そしてこのように構成された前記テレビジョン共同受信用直列ユニットは図２の如く，例えば図示されていないスイッチボックス内に組込まれ，パネル１表面の周囲をフラッシュプレート３で閉塞することにより埋設される。更にこの状態において，前記窓枠３ａはパネル１の基板１１と側壁１２とによって閉塞状態にあるように取付けられるので，前記フラッシュプレート３には，該フラッシュプレートの窓枠３ａの大きさと形状を有する凹部９が形成され，該凹部９の底部（所謂，パネル表面）からはＦ型接栓５ａ，５ｂが顔を出し，そのＦ型端子５ａ，５ｂにＦ型接栓を螺合させたり，プラグを嵌め込み挿着したりできるのである。
【００１８】
このときのＦ型接栓を先端部に備えた同軸ケーブル１５，１６の接続の状態を図３に示す。この図は図２に示すＡ−Ａ線の断面図を示している。尚，説明を簡単にするために一方の同軸ケーブルについて説明する。
同軸ケーブル１５の先端部に具備された，前記Ｆ型端子５に接続するための筒状に形成された接栓座収容部１５ａには，内周面に前記Ｆ型端子に形成された雄螺子に対応する雌螺子が形成されていると共に，外周面は接栓収容部１５ａの回転操作を容易にするために例えば６角形状に形成されている。
従って，嵌め込み式のプラグとは違って，Ｆ型接栓を確実に接続するためには，一般的に市販されている工具等を用いて前記接栓収容部１５ａ等を回転操作する必要がある。
そこで，本願の直列ユニットを用いれば，直列ユニットのＦ型端子５ａ，５ｂの周辺には，従来からあるフラッシプレート３の窓枠３ａの範囲で広い空間９が形成されることから，プラグを嵌め込み接続する場合はもちろん，Ｆ型接栓を螺合によって接続する場合であっても，指先やラジオペンチ等の工具を用いてパネル１やプレート３に邪魔されることなく，Ｆ型接栓の接栓座収容部を回転操作でき，簡単且つ確実にコネクタを螺合させることができるのである。
更にこれによって，Ｆ型接栓とＦ型端子との接続部分における外部からの妨害電波に対するシールド性が，摺動固着による嵌め込み方式のプラグに比して，極めて優れた接続ができ，ディジタル放送を受信するときであっても妨害のない美しい画像を見ることができる直列ユニットを提供できるのである。
またこのパネル１と端子カバー１７は，一般的に使用されているフラッシプレート３の窓枠３ａに対応した形状に形成されているので，汎用性の点においても問題のない直列ユニットを提供できるのである。
【実施例２】
【００１９】
次に本発明の第２の実施形態として図４を参照して説明する。尚，以下の説明では，上記第１の実施形態の直列ユニットと同様の構成要素については同一符号を付与し，詳細な説明は省略する。                            
【００２０】
この実施例では，前記第１の実施例において形成された収容空間９をフラッシュプレート３の表面側から前記パネル１に着脱自在に閉塞固着できるように形成した蓋体８を備えさせたものである。
この実施例では，例えば同軸ケーブルを設置しない状態になった場合であっても，化粧板として当該蓋体８を取付けておけば，室内等に目立たずにスキッリと配設できる直列ユニットを提供できるのである。尚，８ａ，８ａ・・・はドライバーの先端などを挿入して前記端子カバー１７を取外すための取外し孔である。
尚，本発明は上記実施の形態に限定されるものではなく，本発明の趣旨を逸脱しない範囲で各部の構成を適宜に変更して実施することも可能である。
【図面の簡単な説明】
【００２１】
【図１】本発明に係る直列ユニットの斜視図である。
【図２】本願の直列ユニットを壁面に設置したスイッチボックスに収納してプレート枠で閉塞した状態を示す図面である。
【図３】図２に示すＡ−Ａ線の一部破断した断面図である。
【図４】本願の直列ユニットの別の実施例である。
【図５】従来の直列ユニットの取付状態を示す図面である。
【図６】図５におけるＢ−Ｂ線断面図である。
【符号の説明】
【００２２】
１・１´…パネル，１ａ，１ｂ…貫通孔，２…取付枠，２ａ，２ｂ，２ｃ…係止部，３…フラッシプレート，３ａ…窓枠，４…凹部，５…Ｆ型端子，６…ユニット本体，７…Ｆ型端子，８…蓋体，８ａ…取外し部，９…空間，１０…直列ユニット，１１…基板，１２…側壁，１５・１６…同軸ケーブル，１５ａ・１６ａ…Ｆ型接栓（接栓座収容部）
【図１】
2006129647.tif 000003
【図２】
2006129647.tif 000004
【図３】
2006129647.tif 000005
【図４】
2006129647.tif 000006
【図５】
2006129647.tif 000007
【図６】
2006129647.tif 000008